(57)【要約】【課題】添付ファイルを同報で送信せずに、無料テンポラリＷＥＢサイトに送信して自動登録し、相手にはそのＵＲＬなどの情報のみ送信し、後からブラウザなどで参照することによりネットワーク上のトラフィックを軽減する。また一定期間後、あるいは全員がデータ参照したのち、そのＨＰも自動削除することによりＷＥＢサイトのリソースも有効活用可能になる。【解決手段】ＨＰ自動登録手段、ユーザー参照確認手段、ＨＰ自動削除手段からなるメールサーバおよびＷＥＢサーバー【選択図】        図１
2004318386.tif 000002
【特許請求の範囲】
【請求項１】
添付ファイルを一部または複数含んだ電子メールを、一人または複数の相手先へそのまま送信せずに一旦テンプラリのＷＥＢサイト宛てへ送信し、そこにＨＰ（ホームページ）自動登録手段により添付ファイル類を登録しそのデータを参照できるようＨＴＭＬ形式のファイルを生成し、相手先にはそれらを参照するための手掛かりとなるＷＥＢサイトのＵＲＬデータおよび情報のみを送信し、相手が都合の良い時期にそのデータを参照可能な無料テンポラリＷＥＢサイト。
【請求項２】
前述、請求項１において、期間を限定し、期間を超えるとＨＰ自動削除手段により自動的にＨＰおよびデータ類を削除することを特徴とする、前述無料テンポラリＷＥＢサイト。
【請求項３】
前述、請求項１について、ユーザー参照管理手段により、削除される条件を期間のみならず、相手がすべて参照したか否かの確認を行うことを特徴とする、前述無料テンポラリＷＥＢサイト。
【請求項４】
前述、請求項３のユーザー参照管理手段について、該当ＷＥＢサイト上のデータ類を参照してよいか否か、接続先の制限を行うことを特徴とする、前述無料テンポラリＷＥＢサイト。
【請求項５】
前述、請求項１のＨＰ自動登録手段について、添付ファイルの属性に従って、そのジャンルに応じて広告メールなどを発信することを特徴とする、前述無料テンポラリＷＥＢサイト。
【請求項６】
前述、請求項１のＨＰ自動登録手段について、添付ファイルの属性に応じたアプリケーションソフトなどのダウンロード提供の情報を該当ＨＰに付加することを特徴とする、前述無料テンポラリＷＥＢサイト。
【請求項７】
前述、請求項３のユーザー参照管理手段について、接続してきた相手先の情報に従って、そのジャンルに応じて広告メールなどを発信することを特徴とする、前述無料テンポラリＷＥＢサイト。
【発明の詳細な説明】
【０００１】
【発明の属する技術分野】
本発明は無料テンポラリＷＥＢサイトに関するものである。
【０００２】
【従来の技術】
従来、添付ファイルをメールで送信すると、巨大なデータ類をそれぞれの相手先に配信することになり、ネットワーク上のトラフィック増加を助長し、その結果第３者のネットワークへの接続が遅くなるという弊害が生じていた。また、メールサーバーによっては、メールサイズ制限を設けて該当メールを遮断してスプールに保存しない場合もあった。また、現在受け手側もＰＣに限らない機器を使用するなどメール環境が多岐にわたってきており、送られてきた添付ファイルが参照できない、あるいはその環境では参照したくない場合が多々あった。そのため個人によるＷＥＢサイトに添付ファイルなどのデータ類を保存・登録する方法も行われていたが、ファイルの転送が面倒であったり、削除しないと後にはゴミと化すなど資源の無駄が発生したり、削除する場合には煩雑な作業を強いられた。
【０００３】
【発明が解決しようとする課題】
本発明では、上述した欠点を除去し、相手に添付ファイルを送る手間で、ＷＥＢサイトに自動登録し、かつ該当ＵＲＬとその情報などのみを相手に送信し、相手は都合の良い時期／環境でそのデータを参照するシステムを提供することにある。また、登録した時期および相手が参照したことを認識してそのデータ類を自動的に削除することによりＷＥＢサイト自体の資源も有効活用できる利点もある。また、運営するＷＥＢサイト側はユーザー情報を得たり、関連バナー広告を自動的に付加でき、広告サイトへの接続の可能性が向上するなどの利点もある。
【０００４】
【課題を解決するための手段】
（基本的な動作）
（ブロック図の説明）
（システム構成図の説明）
本発明のシステム構成図を図１で示す。
【０００５】
送信者のＰＣ：１１００からインターネット：１２００に繋がる、送信者が利用しているプロバイダのメールサーバー：１１１０、本発明の無料テンポラリＷＥＢサイト上のメールサーバーおよびＷＥＢサーバー：１３００、配信されるメンバー側のＰＣ：１４００および利用しているプロバイダのメールサーバー：１４１０、同様に配信されるメンバーのＰＣ：１５００、および利用しているプロバイダのメールサーバー：１５１０からなる。
【０００６】
（概要）
次に概要を同じく図１で示す。送信者はメールを配信されるメンバーのメールサーバー宛てに出すのではなく、無料ＷＥＢサイト上のメールサーバーのＷＥＢ登録アドレス宛てに出す（１１００から１２００、１１１０を介して１２００、１３００へ流れる）。
【０００７】
ここではＨＰ自動登録手段により、メールを解析し、添付データ類をＷＥＢデータとして登録するとともに、そのＵＲＬなどの情報データを送信者および配信されるメンバーへメールとして配送され（１３００から１２００、１１１０／１４１０／１５１０へ流れる）、各々のＰＣでそのメールを受け取る（１２００を介して１１１０から１１００で受け取る。同じく１２００を介して１４１０から１４００で受け取る。同様に１２００を介して１５１０から１５００で受け取る）。
【０００８】
その内容に従って各自ブラウザなどのアプリケーションを使って１３００のＷＥＢサイトから直接データを受け取る（１２００を介して１３００から１１００／１４００／１５００へ流れる）この時、ユーザー参照管理手段が起動されている。有効期間が過ぎるか、ユーザーが全て参照し終わると、ＨＰ自動削除手段により１３００にあった該当ＨＰは削除される。
【０００９】
【発明の実施の形態】
（メールデータの扱い）
本発明で扱うＨＰ登録メールデータの扱いについて図２で示す。
【００１０】
送信者が送るメール本体：２１００は、ｈｅａｄｅｒ部：２１０５、ｔｅｘｔ部：２１１０、添付ファイルとしてここでは画像ファイル：２１５０、２１６０、２１７０からなるものとする。
【００１１】
本発明無料テンポラリＷＥＢサイトのサーバーのＨＤ：２３００には、該当ＨＰのＨＴＭＬファイル：２３１０、ここでは２３１０ではパスワード入力フォームのページを貼り付ける。
【００１２】
同じく添付ファイルを貼り付けられたＨＴＭＬファイル：２３２０、２３３０、２３４０を生成し、添付されてきた画像ファイル：２３５０、２３６０、２３７０は保存される。
【００１３】
送信者が送ろうとしたメンバーには、無料テンポラリＷＥＢサイトから参照するためのＵＲＬや、パスワード、ＷＥＢ有効期限などの情報ＩＮＦ：２４１０と送信者からのコメントＴＸＴ：２４２０からなるメール：２４００が配信される。
【００１４】
メールテキスト：２１１０における、送信者のメールアドレスの指定例を２５００で示す。
【００１５】
たとえば行頭に半角＃から始まる行を送信者のメールアドレスデータとみなす。２５３０、２５４０はその例である。またメールアドレスの終端は行頭がスペースから始まる行：２３５０をそれとみなす。
【００１６】
（データ構成図）
本発明で使用するユーザー管理エリアのデータ構造について図３で説明する。
【００１７】
ユーザー管理エリア：３０００は、個別ユーザー情報エリア：３０２０〜３０４０からなり送信者を含めた人数分確保される。
【００１８】
個別ユーザー情報エリア：３１００は、
・メールアドレス：３１１０
・参照日付：３１２０
・個別情報：３１３０
・その他：３１４０
からなる。
【００１９】
メールアドレス：３１１０はＨＰ自動登録手段で送信者からのメールを解析して登録される。
【００２０】
このデータを、たとえば該当ＨＰを参照する時のユーザー確認パスワードとして、一般的な可逆関数でエンコードして利用する。これによりパスワードをデコードすることによりメールアドレスが得られる。
【００２１】
参照日付：３１２０は、該当ＨＰに接続してきた最初の日付であり、ユーザー参照管理手段にて更新され、ＨＰ自動削除手段で参照され、ＨＰ削除の条件として利用する。
【００２２】
個別情報：３１３０は、ユーザー参照管理手段にてｃｏｏｋｉｅなどを利用して更新され、ユーザー個別のメール発信の手掛かりとして利用する。
【００２３】
その他：３１４０は、今後の拡張エリアである。
【００２４】
次にＨＰ管理エリアのデータ構造について図４で説明する。
【００２５】
ＨＰ管理エリア：４０００は、個別ＨＰ情報エリア：４０１０〜４０４０からなり自動登録されたＨＰ分確保される。
【００２６】
個別ＨＰ情報エリア：４１００は、
・ＵＲＬ：４１１０
・生成日付：４１２０
・個別情報：４１３０
・削除予定日付：４１４０
・その他：４１５０
からなる。
【００２７】
ＵＲＬ：４１１０は該当ＨＰのありかを示すＵＲＬであり、ＨＰ自動登録手段で生成され、各々のユーザーへメールで知らされる。ＨＰ自動削除手段で参照される。
【００２８】
生成日付：４１２０は該当ＨＰが生成された日付であり、ＨＰ自動登録手段で生成され、ＨＰ自動削除手段で参照され、ＨＰ削除の条件として利用する。
【００２９】
個別情報：４１３０は、該当ＨＰに登録された添付データの属性などであり、関連アプリケーションプログラムの広告・ダウンロードの際に利用される。ＨＰ自動登録手段で更新される。ユーザー参照管理手段で参照される。
【００３０】
削除予定日付：４１４０は、該当ＨＰが削除される日付であり、ＨＰ自動登録手段で生成され、ＨＰ自動削除手段で参照され、ＨＰ削除の条件として利用する。
【００３１】
その他：４１５０は、今後の拡張エリアである。
【００３２】
（ＨＰ自動登録手段の実施例）
本発明におけるＨＰ自動登録手段：５０００について図５で説明する。
【００３３】
ＨＰ自動登録手段は、ＨＰ登録希望者から送られてきたメールが本発明のメールサーバーに着信と同時に起動される。
【００３４】
まず添付ファイル抽出処理：５０１０によりヘッダ部、添付ファイルが抽出される。
【００３５】
そのデータ類を使って、メール解析処理：５０３０、ＨＰ管理処理：５０２０に制御が移る。
【００３６】
メール解析処理では、送信者・複数の相手先を抽出して、ユーザー管理エリアの生成に必要なデータを準備していく。
【００３７】
またＨＰ管理では、本サーバーのＨＤ容量／添付ファイルの容量を考慮しながら、ＨＰ管理エリアを生成していく。これらは並行して処理が行なわれても良い。
【００３８】
メール解析処理：５０３０は、図２で示したようにｈｅａｄｅｒおよびｔｅｘｔ部から送信者および複数の相手先のメールアドレスを抽出する。その後ユーザー管理処理：５０４０へ制御が移る。ユーザー管理処理：５０４０はユーザー管理エリアの生成・更新を行っていく。またここではユーザー管理用のパスワードなども生成される。ユーザー管理処理：５０４０およびＨＰ管理処理：５０２０が完了するとＨＴＭＬファイル生成処理：５０５０へ制御が移る。ＨＴＭＬファイル生成処理は、先ほど抽出された添付ファイルをブラウザなどで参照できるＨＴＭＬファイルとして生成する。ＨＴＭＬファイルにはパスワードの入力欄、削除日時などの情報も付加されている。それと同じに関連するサイトのバナー広告・アプリケーションソフトのダウンロードリンクなどを付加しても良い。つづけてこれらのＨＰを参照するためのＵＲＬや削除日時・注意点など知らせるためにテキスト化を行うＩＮＦＯファイル生成処理：５０６０、最後にこのＩＮＦＯファイルを送信者および複数の相手先に送信：５０７０する。
【００３９】
ユーザー管理処理：５０４０、ＩＮＦファイル生成処理：５０６０、ＩＮＦファイルメール送信処理：５０７０については、メール解析処理：５０３０で得られた、メンバーの人数（送信者も含む）分、行われる。
【００４０】
（ユーザー参照管理手段の実施例）
本発明におけるユーザー参照管理手段について図６で説明する。
【００４１】
ユーザー参照管理手段：６０００はＨＰ自動登録手段にてメールで知らされたユーザーが該当ＨＰに接続してきた場合に起動される。ユーザー確認処理：６０１０にて、入力されたパスワードをデコードし、ユーザー管理エリアのメールアドレスと比較し、正しいメンバーか確認する。不正であれば、該当ＨＰを参照することはできない。正しければユーザー管理エリア更新処理：６０２０にてユーザー管理エリアの参照日付、個別情報更新を行う。次にユーザー対応処理：６０３０にて、参照してきたユーザーの情報を収集する。この情報は後程、このＷＥＢサイトを運営している業者がユーザー調査やダイレクトメール送付の時に利用される。
【００４２】
なお、該当ＨＰが削除された後に接続しようとした場合は、当然起動されない。
【００４３】
（ＨＰ自動削除手段の実施例）
本発明におけるＨＰ自動削除手段について図７で説明する。
【００４４】
ＨＰ自動削除手段：７０００は、サーバーのｃｒｏｎにて一日に一回のみ、あるいは該当ＨＰにおいてユーザー参照が終わるごとに起動される。ユーザー管理エリア確認処理：７０１０にてすべてのユーザー参照日付を確認する。引き続きＨＰ管理エリア確認処理：７０２０にてＨＰ管理エリアの削除予定日付との比較を行う。削除予定日付であれば無条件にＨＰ削除処理：７０３０へ制御をうつす。ユーザー管理エリア確認処理：７０１０で全て参照済みであればこの場合もＨＰ削除処理：７０３０へ制御をうつす。まだ参照していないメンバーがありかつＨＰ削除予定日付に達していなければ何もせずに終了する。
【００４５】
なおＨＰを削除するトリガーとして、本発明では、ユーザーの参照回数にふれていない、たとえば一度限りにしても良いし、有効期間中、なんどでも参照可能としても構わない。
【００４６】
（その他の実施例）
・添付ファイル登録数と有効期間のトレードオフ
登録サイズが多ければ、有効期間を短くする。逆に少なければ長い期間有効とする。
【００４７】
またはその逆。
・メンバー数が多ければバナー広告がより有効になるので優遇される
登録容量の増加、登録期間の延長など。
・利用頻度の高いユーザーの優遇
登録容量の増加、登録期間の延長など。
・バナー広告利用者の優遇
次回登録の際に優遇、登録期間の延長
などが考えられる。
【００４８】
【発明の効果】
以上説明したとおり、本発明では、相手に添付ファイルを送る手間で、ＷＥＢサイトに自動登録し、かつ該当ＵＲＬとその情報などのみを相手に送信し、相手は都合の良い時期／環境でそのデータを参照するシステムを提供することが可能になった。また、登録した時期および相手が参照したことを認識してそのデータ類を自動的に削除することによりＷＥＢサイト自体の資源も有効活用できるようになった。さらに運営するＷＥＢサイト側はユーザー情報を得たり、関連バナー広告を自動的に付加でき、広告サイトへの接続件数の増加が可能になった。
【図面の簡単な説明】
【図１】システム構成図。
【図２】メールデータの扱い概念図。
【図３】ユーザー管理エリアのデータ構造図。
【図４】ＨＰ管理エリアのデータ構造図。
【図５】ＨＰ自動登録手段の構成図
【図６】ユーザー参照管理手段の構成図。
【図７】ＨＰ自動削除手段の構成図。
【図１】
2004318386.tif 000003
【図２】
2004318386.tif 000004
【図３】
2004318386.tif 000005
【図４】
2004318386.tif 000006
【図５】
2004318386.tif 000007
【図６】
2004318386.tif 000008
【図７】
2004318386.tif 000009